(57)【要約】【課題】錠剤供給装置内部への埃の付着を軽減する仕組みを提供すること。【解決手段】錠剤を供給する錠剤供給装置において、錠剤供給装置は、プラスイオン、およびマイナスイオンを生成可能なイオン生成手段と、イオン生成手段で生成されるプラスイオン、およびマイナスイオンを錠剤供給装置の内部に供給する供給手段とを備え、錠剤供給装置の動作内容によってイオン生成手段で生成するプラスイオン、およびマイナスイオンを生成する割合を切り替える。【選択図】図７
2016049161.tif 000002
【特許請求の範囲】
【請求項１】
錠剤を供給する錠剤供給装置であって、
プラスイオン、およびマイナスイオンを生成可能なイオン生成手段と、
前記イオン生成手段で生成される前記プラスイオン、およびマイナスイオンを前記錠剤供給装置の内部に供給する供給手段と、
を備え、
前記イオン生成手段は、前記錠剤供給装置の動作内容によってプラスイオン、およびマイナスイオンを生成する割合を切り替えて生成することを特徴とする錠剤供給装置。
【請求項２】
前記錠剤供給装置の動作内容は、前記錠剤を供給する動作と、前記錠剤を供給しない動作であることを特徴とする請求項１に記載の錠剤供給装置。
【請求項３】
前記イオン生成手段は、前記錠剤供給装置の動作内容が前記錠剤を供給する動作であることを条件に、前記マイナスイオンを生成する割合を、前記プラスイオンを生成する割合に対して高く生成することを特徴とする請求項２に記載の錠剤供給装置。
【請求項４】
前記イオン生成手段は、前記錠剤供給装置の動作内容が前記錠剤を供給しない動作であることを条件に、前記プラスイオン、および前記マイナスイオンを同じ割合で生成することを特徴とする請求項２または３に記載の錠剤供給装置。
【発明の詳細な説明】
【技術分野】
【０００１】
本発明は、錠剤供給装置に関し、特に、錠剤供給装置内部への埃の付着を軽減する仕組みに関する。
【背景技術】
【０００２】
従来、調剤業務において、ＰＴＰシートで提供されている錠剤（薬）の一包化を行うためには、人の手によってＰＴＰシートから錠剤を１回分の錠剤数ずつ取り出し、分包機の錠剤マスにセットする作業が必要であった。このような手間を省くために、特許文献１には、錠剤シートから錠剤を除包し、取り出した錠剤を包装装置に供給する錠剤供給装置が開示されている。
【０００３】
ところで、特許文献１に記載の錠剤供給装置では、錠剤シートから錠剤を取り出し、取り出した錠剤を分包する過程で、錠剤や、分包紙に錠剤を投入するためのホッパーが静電気を帯びる可能性がある。
【０００４】
錠剤を分包する過程で発生する静電気による弊害としては、例えば、錠剤を分包紙に投入するまでの搬送経路に静電気を帯びた錠剤が張り付いたり、静電気を帯びたホッパーに錠剤が張り付いたりして、錠剤の分包作業の妨げになることが考えられる。
【０００５】
そこで、分包の過程で発生する静電気の対策のひとつとして、特許文献２には、錠剤を含む薬剤を分包するための分包紙と、分包紙に薬剤を投入するためのホッパーとが接触することにより発生し、ホッパーに帯電した静電気を、イオン発生装置により生成したプラスイオン、またはマイナスイオンのいずれか一方のイオンで除去する仕組みが開示されている。
【先行技術文献】
【特許文献】
【０００６】
【特許文献１】特開２０１２−１３９３１７号公報
【特許文献２】特開２００７−３９１１１号公報
【発明の概要】
【発明が解決しようとする課題】
【０００７】
しかしながら、特許文献２の技術を用いて、イオン発生装置によりプラスイオン、またはマイナスイオンのいずれか一方のイオンのみを生成すると、生成したイオンが錠剤供給装置の周辺の埃を、錠剤供給装置に吸い寄せてしまう恐れがある。
【０００８】
すると、イオンが吸い寄せた埃が、錠剤供給装置の内部に入り込み、その埃が錠剤供給装置の内部に付着することが懸念され、衛生的な観点から好ましくない。
そこで、薬剤を分包していない間はイオン発生装置によりイオンを発生させないことで、錠剤供給装置に埃が付着することを低減させることが考えられる。
【０００９】
しかしながら、錠剤供給装置により薬剤を分包していない間、イオン発生装置によりイオンを発生させなかったとしても、錠剤供給装置により薬剤を分包している間に発生したプラス、またはマイナスイオンが錠剤供給装置内に残っているため、依然として錠剤供給装置内部に残ったイオンによって、埃が錠剤供給装置内部に吸い寄せられることが考えられる。
【００１０】
本発明は、錠剤供給装置内部への埃の付着を軽減する仕組みを提供することを目的とする。
【課題を解決するための手段】
【００１１】
本発明は、錠剤を供給する錠剤供給装置であって、プラスイオン、およびマイナスイオンを生成可能なイオン生成手段と、前記イオン生成手段で生成される前記プラスイオン、およびマイナスイオンを前記錠剤供給装置の内部に供給する供給手段と、を備え、前記イオン生成手段は、前記錠剤供給装置の動作内容によってプラスイオン、およびマイナスイオンを生成する割合を切り替えて生成することを特徴とする。
【発明の効果】
【００１２】
本発明によると、錠剤供給装置内部への埃の付着を軽減する仕組みを提供することができる。
【図面の簡単な説明】
【００１３】
【図１】本発明の実施形態に係る分包システムの構成を示す図である。
【図２】本発明の実施形態における錠剤供給装置１０１、錠剤取出し装置１０２、包装装置１０３、情報処理装置１０４のハードウェア構成の一部を示す図である。
【図３】図１に示す錠剤供給装置１０１の拡大図である。
【図４】錠剤取出し装置１０２の内部構造を説明するための錠剤取出し装置１０２の傾斜図である。
【図５】分包装置の正面から見たときの右側から見た錠剤取出し装置１０２の内部構造（断面）を示す図の一例である。
【図６】錠剤供給装置１０１の内部にイオンを発生・送風する仕組みを示す図の一例である。
【図７】本発明において、錠剤供給装置１０１の動作内容によって、イオン発生装置が生成するイオンの割合を切り替える処理の一例を示す図である。
【図８】錠剤供給装置１０１が備える表示部２１０に表示される画面の一例を示す図である。
【図９】錠剤供給装置１０１が備える表示部２１０に表示される処方を入力する画面の一例を示す図である。
【発明を実施するための形態】
【００１４】
以下、本発明を適用した好適な実施形態を、添付図面を参照しながら詳細に説明する。
まず、図１について説明する。
＜図１の説明＞
【００１５】
図１は、錠剤供給装置１０１と、包装装置１０３とを備える分包装置と、情報処理装置１０４とを含む分包システムの一例を示す図である。
包装装置１０３と、情報処理装置１０４とは、ネットワーク１０５を介して相互に通信可能に接続されている。
錠剤供給装置１０１は、複数の錠剤取出し装置１０２を備えている。
【００１６】
錠剤取出し装置１０２（錠剤取出し手段）は、錠剤供給装置１０１の幅方向（左右方向）に６つが並べられ、この６つの錠剤取出し装置１０２からなるセットが上下に３段に配置されている。
錠剤供給装置１０１は、複数の錠剤取出し装置１０２を備えているが、錠剤取出し装置の数は１つでもよい。
【００１７】
錠剤取出し装置１０２は、錠剤シートの錠剤収容部（単に収容部とも言う）に収容された錠剤を取り出す取り出し動作を行い、当該収容部から錠剤を取り出す装置である。
【００１８】
錠剤取出し装置１０２は、１枚の錠剤シートの複数の収容部にそれぞれ収容された錠剤を、１つずつ当該収容部から取り出す取出し動作を行い、錠剤を１個ずつ包装装置１０３に供給する。
錠剤シートは、一般的にＰＴＰシートと呼ばれており、錠剤シートのことをＰＴＰシートとも言う。
図３は、図１に示す錠剤供給装置１０１の拡大図である。
【００１９】
図１、図３に示すように、錠剤供給装置１０１は、投入口３０１に投入される錠剤シートの複数の錠剤収容部から順次個々に錠剤を取り出して当該錠剤を包装装置１０３に供給し、錠剤シートの排出路５０５（図５を参照）に、当該錠剤が取り出された錠剤シートを排出する錠剤供給装置である。
包装装置１０３は、錠剤供給装置１０１の錠剤取出し装置１０２から供給された錠剤を処方データに従って一包ずつ包装する装置である。
【００２０】
錠剤供給装置１０１は、錠剤取出し装置１０２により錠剤シート（ＰＴＰシート）から錠剤を取り出して、錠剤供給装置１０１の供給経路（図５に示す導入シュート５０３）を経て包装装置１０３に供給する。
図１、図３に示す排出部１０６は、排出路５０５と導通しており、排出路５０５を介して錠剤シートが排出されるボックスである。
＜図２の説明＞
【００２１】
図２は、本発明の実施形態における錠剤供給装置１０１、錠剤取出し装置１０２、包装装置１０３、情報処理装置１０４のハードウェア構成の一部を示す図である。
ＣＰＵ２０１は、システムバス２０４に接続される各デバイスやコントローラを統括的に制御する制御部である。
【００２２】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
ＣＰＵ２０１は、処理の実行に際して必要なプログラム等をＲＡＭ２０３にロードして、プログラムを実行することで各種動作を実現するものである。
また、入力コントローラ（入力Ｃ）２０５は、ボタンやキーボードなどの入力部２０９や不図示のマウス等のポインティングデバイスからの入力を制御する。
ビデオコントローラ（ＶＣ）２０６は、ディスプレイなどの表示部２１０への表示を制御する。
【００２３】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）等の外部メモリ２１１へのアクセスを制御する。
【００２４】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２５】
なお、ＣＰＵ２０１は、例えばＲＡＭ２０３内の表示情報用領域へアウトラインフォントの展開（ラスタライズ）処理を実行することにより、表示部２１０上での表示を可能としている。また、ＣＰＵ２０１は、表示部２１０上の不図示のマウスカーソル等でのユーザ指示を可能とする。
【００２６】
本発明を実現するためのプログラムは、外部メモリ２１１に記録されており、必要に応じてＲＡＭ２０３にロードされることによりＣＰＵ２０１によって実行されるものである。さらに、本発明に係わるプログラムが用いる全てのデータは外部メモリ２１１に格納されている。
＜図４の説明＞
【００２７】
次に、図４を用いて、錠剤取出し装置１０２の内部構造について説明する。
図４は、錠剤取出し装置１０２の内部構造を説明するための錠剤取出し装置１０２の傾斜図である。
なお、図４は、錠剤取出し装置１０２が、２つ並んでいる図を示している。
【００２８】
錠剤シート４０１は、錠剤を収容する錠剤収容部を有するシート本体の下面に、アルミニウム等からなる金属箔などを用いた封止シートを設けることによって錠剤が錠剤収容部に密封されたものである。
【００２９】
錠剤シート４０１は、シート部上に凸状の錠剤収容部が幅方向に間隔をおいて２列に並んだ形態である。各列をなす複数の錠剤収容部は錠剤シート４０１の長さ方向に沿って並んでいる。
【００３０】
なお、錠剤シート４０１としては、シート部上に錠剤収容部が２列に並んだ形態のものに限らず、錠剤収容部が錠剤シート４０１の長さ方向に１列に並んだ形態や、錠剤収容部が幅方向に間隔をおいて３列以上の複数列に並んだ形態も可能である。
図４に示すように、錠剤シートの投入口３０１は、複数の錠剤シート４０１が複数枚積み重なってセットすることができる形状になっている。
また、４０２は、錠剤導入路であり、後述する導入シュート５０３から落下してきた錠剤を包装装置１０３に供給する供給経路である。
＜図５の説明＞
【００３１】
次に、図５を用いて、錠剤取出し装置１０２の内部構造について更に詳しく説明する。
図５は、分包装置の正面から見たときの右側から見た錠剤取出し装置１０２の内部構造（断面）を示す図の一例である。
【００３２】
図５は、錠剤シートの投入口３０１にＰＴＰシートをセットし、ＰＴＰシートを除包位置（錠剤の取出位置）まで搬送を行った際の図である。
５０１は、下部ローラである。
【００３３】
搬送手段は、錠剤シート４０１を進行方向に向け搬送するものであって、進行方向に互いに間隔をおいて設けられた下部ローラ５０１と、進行方向に互いに間隔をおいて設けられた上部ローラとを備えている。
検出機構５０４は、光により錠剤収容部を検出する光センサである。
【００３４】
錠剤供給装置は、搬送手段によりＰＴＰシートを搬送して、当該ＰＴＰシートの錠剤収容部を検出機構５０４により検出すると、搬送手段により、所定距離、ＰＴＰシートを搬送して、当該錠剤収容部が押圧される所定の位置までＰＴＰシートを搬送する。
押し出し部５０２は、錠剤シートの錠剤収容部を押し出す部である。
錠剤取出し装置１０２は、押し出し部を上下に繰り返し移動させることで、錠剤シートの錠剤収容部を押し出す押し出し動作（取出し動作）を行う。
【００３５】
これにより収容部から取り出された錠剤は、導入シュート５０３（供給経路）に落下して、導入シュート５０３に導通している錠剤導入路４０４（供給経路）に落下し、供給経路を介して包装装置１０３に供給される。
５０５は、排出路である。
搬送手段により搬送された錠剤シートは、排出路５０５に排出される。そして、排出路５０５に排出された錠剤シートは、排出部１０６に排出される。
【００３６】
図５に示すように、錠剤取出し装置１０２は、錠剤シート４０１を搬送する搬送手段（図５に示す下部ローラ５０１、図５には不図示の上部ローラ）と、搬送手段により搬送された錠剤シート４０１の錠剤収容部を押圧して錠剤を取り出す押し出し部５０２とを有している。
＜図６の説明＞
【００３７】
次に、図６を用いて、錠剤供給装置１０１の内部にイオンを発生・送風する仕組みについて説明する。
図６は錠剤供給装置１０１の内部が分かるようにした簡略断面斜視図である。
【００３８】
図６の６０１はイオン発生装置とファンで構成されたユニットであり、イオン発生装置ではプラス及びマイナスのイオンを発生させることができ、さらに、それぞれのイオンを発生させる割合を替えることが可能である。ファンはその発生したイオンを風にのせ、錠剤導入路４０４に送り込む。イオン発生装置は、本発明における、プラスイオン、およびマイナスイオンを生成可能であり、錠剤供給装置の動作内容によってプラスイオン、およびマイナスイオンを生成する割合を切り替えて生成するイオン生成手段の適用例である。
【００３９】
また、送風手段は、本発明における、イオン生成手段で生成される前記プラスイオン、およびマイナスイオンを前記錠剤供給装置の内部に供給する供給手段の適用例である。
【００４０】
このように、イオン発生装置と送風手段で構成されたユニット６０１は、ともに各錠剤導入路４０４が錠剤を供給する錠剤導入路上流側（図６では錠剤導入路４０４の上部）に設けられている。つまりユニット６０１が錠剤を供給する導入路上流側に設けられることで、錠剤導入路の下流側に導通している各錠剤取出ユニット１からそれぞれ錠剤が供給される導入シュート５０３から錠剤導入路４０４の下部（下流側）までの錠剤の供給ルートを一括で、除電することができる。
【００４１】
図６の６０２はイオンを含む風の流れである。イオンはこの風にのって、錠剤導入路４０４、導入シュート５０３、錠剤供給装置１０１の下流に到達する。
＜図７の説明＞
【００４２】
次に、図７を用いて、本発明において、錠剤供給装置１０１の動作内容によって、イオン発生装置が生成するイオンの割合を切り替える処理について説明する。
【００４３】
なお、図７の処理が実行される前に、錠剤供給装置１０１の電源が入れられたタイミングで、イオン発生装置が、プラスイオンとマイナスイオンをそれぞれ同じぐらいの割合で生成している。
【００４４】
プラスイオンとマイナスイオンを同じぐらいの割合でそれぞれ発生することにより、錠剤供給装置１０１の内部がどちらかの極性に偏ることを軽減できるため、埃を錠剤供給装置１０１の内部に寄せ付けられるのを防ぐことが可能となる。
【００４５】
図７の各ステップに示す処理・動作は、錠剤供給装置１０１のＣＰＵ（制御部）が、分包システムの各装置の動作を制御することにより実現される。
【００４６】
ステップＳ７０１において、錠剤供給装置１０１は、錠剤供給装置１０１が備える表示部２１０に、図８の画面を表示させる。なお、表示部２１０は、タッチパネル式になっており、ユーザが指で表示部２１０をタッチすることで、表示部２１０に表示された画面を操作することができる。
【００４７】
図８は、錠剤供給装置１０１が備える表示部２１０に表示される画面であり、図８の画面には、各錠剤取出し装置１０２（図８の８０１）で錠剤をどれだけ取り出すかが表示される。
【００４８】
ステップＳ７０２において、錠剤供給装置１０１は、錠剤供給装置１０１が備える表示部２１０に表示される図８の画面を介して、ユーザから操作を受け付ける。
【００４９】
ステップＳ７０３において、錠剤供給装置１０１は、錠剤供給装置１０１が備える表示部２１０に表示される図８の画面を介して、処方入力画面の表示指示をステップＳ７０２でユーザから受け付けたかを判定する。より具体的には、図８の８０１をユーザがタッチする操作を受け付けたかを判定する。
【００５０】
錠剤供給装置１０１が備える表示部２１０に表示される図８の画面を介して、ユーザから処方入力画面の表示指示を受け付けたならばステップＳ７０４に進み、錠剤供給装置１０１が備える表示部２１０に表示される図８の画面を介して、ユーザから処方入力画面の表示指示を受け付けなければ、ステップＳ７０２に戻る。
【００５１】
ステップＳ７０４において、錠剤供給装置１０１は、錠剤供給装置１０１が備える表示部２１０に、図９に示す処方入力画面を表示する。
【００５２】
図９は、錠剤供給装置１０１が備える表示部２１０に表示される画面であって、これから各錠剤取出し装置１０２から取り出す錠剤の量を決定すべく、ユーザによるタッチ操作により処方内容を入力する画面である。図９の９０４をユーザがタッチすることにより、各錠剤取出し装置１０２から取り出す錠剤の量を選択し、図９の９０３をユーザがタッチすることにより、図９の９０４で選択された錠剤の量が、錠剤取出し装置１０２から取り出す錠剤の量として決定され、図８の画面に戻る。
【００５３】
ステップＳ７０４で処方入力画面を表示すると同時に、ステップＳ７０５において、錠剤供給装置１０１は、イオン発生装置で生成するイオンの割合を切り替える。より具体的には、一般的にプラスに帯電するとされる錠剤を除電すべく、マイナスイオンを生成する割合を高くする。
【００５４】
なお、本実施例では、錠剤がプラスに帯電することを想定して、ステップＳ７０５において、マイナスイオンを生成する割合を高くするとしたが、他の実施例として、特許文献１に記載されているホッパーのように、分包紙によって、マイナスに帯電したホッパーも除電すべく、プラスイオンを生成する割合を高くしても良い。
【００５５】
また、本実施例では、処方入力画面に遷移するタイミングで、マイナスイオンを生成する割合を高くするとしたが、他の実施例として、後述するステップＳ７０６において、錠剤取出し装置１０２による錠剤シートからの錠剤取り出し（除包）動作を開始させる指示（図９の９０１をユーザがタッチする操作）を、ユーザから受け付けたタイミングで、マイナスイオンを生成する割合を高くしても良い。
【００５６】
ただ、好ましくは、図９の処方入力画面に遷移するタイミング、つまり除包動作を開始する少し前に、マイナスイオンを生成する割合を高くするほうがよい。
【００５７】
図９の処方入力画面に遷移するタイミングでマイナスイオンを生成する割合を高くすることにより、錠剤取出し装置１０２が除包動作を開始するときには、錠剤供給装置１０１の内部にマイナスイオンがいきわたり、錠剤をより効果的に除電することが可能となる。
【００５８】
ステップＳ７０６において、錠剤供給装置１０１は、錠剤供給装置１０１が備える表示部２１０に表示される図９の画面を介して、ユーザから操作を受け付ける。
【００５９】
ステップＳ７０７において、錠剤供給装置１０１は、錠剤供給装置１０１が備える表示部２１０に表示される図９の画面を介して、錠剤取出し装置１０２による錠剤シートからの錠剤取り出し（除包）動作を開始させる指示を、ステップＳ７０６でユーザから受け付けたかを判定する。
【００６０】
より具体的には、図９の９０１をユーザがタッチする操作を受け付けたかを判定する。なお、本実施例では、ステップＳ７０７で、図９の９０１をユーザがタッチする操作を受け付けたかを判定するとしたが、図９の画面で、決定ボタン（図９の９０３）をユーザがタッチした後に、図８の８０２をユーザがタッチする操作を受け付けたかを判定してもよい。
【００６１】
錠剤取出し装置１０２による錠剤シートからの錠剤取り出し（除包）動作を開始させる指示をユーザから受け付けたならばステップＳ７０８に進み、錠剤取出し装置１０２による錠剤シートからの錠剤取り出し（除包）動作を開始させる指示をユーザから受け付けなければ、ステップＳ７０６に戻る。
【００６２】
ステップＳ７０８において、錠剤供給装置１０１は、錠剤取出し装置１０２による錠剤シートからの錠剤取り出し（除包）動作を開始する。
【００６３】
ステップＳ７０９において、錠剤供給装置１０１は、錠剤取出し装置１０２による錠剤シートからの錠剤取り出し（除包）動作を停止する指示を、ユーザから受け付けたかを判定する。より具体的には、図９の９０２をユーザがタッチする操作を受け付けたかを判定する。錠剤取出し装置１０２による錠剤シートからの錠剤取り出し（除包）動作を停止する指示を、ユーザから受け付けたならば、ステップＳ７１０に進み、錠剤取出し装置１０２による錠剤シートからの錠剤取り出し（除包）動作を停止する指示を、ユーザから受け付けなければ、ステップＳ７１３に進む。
【００６４】
ステップＳ７１０において、錠剤供給装置１０１は、イオン発生装置で生成するイオンの割合を切り替える。より具体的には、プラスイオンとマイナスイオンを同じぐらいの割合で生成する。
【００６５】
これにより、ステップＳ７０５においてイオン発生装置で割合を高く生成したマイナスイオンを中和することが可能となるため、錠剤供給装置１０１が停止している間に、ステップＳ７０５においてイオン発生装置で割合を高く生成したマイナスイオンにより埃が錠剤供給装置１０１の内部に吸い寄せられるのを防ぐことができる。
【００６６】
ステップＳ７１１において、錠剤供給装置１０１は、錠剤供給装置１０１が備える表示部２１０に表示される図９の画面を介して、錠剤取出し装置１０２による錠剤シートからの錠剤取り出し（除包）動作を再開させる指示をユーザから受け付けたかを判定する。
【００６７】
より具体的には、図９の９０１、もしくは図８の８０２をユーザがタッチする操作を受け付けたかを判定する。錠剤取出し装置１０２による錠剤シートからの錠剤取り出し（除包）動作を再開させる指示をユーザから受け付けたならばステップＳ７１２に進み、錠剤取出し装置１０２による錠剤シートからの錠剤取り出し（除包）動作を再開させる指示をユーザから受け付けなければ、錠剤取出し装置１０２による錠剤シートからの錠剤取り出し（除包）動作を再開させる指示をユーザから受け付けるまで待機する。
【００６８】
ステップＳ７１２において、錠剤供給装置１０１は、イオン発生装置で生成するイオンの割合を切り替える。より具体的には、ステップＳ７０５と同様に、マイナスイオンを生成する割合を高くする。
【００６９】
ステップＳ７１３において、錠剤供給装置１０１は、錠剤取出し装置１０２により錠剤シートから錠剤が所定数（図９の処方入力画面を介してユーザから指示された数）除包されたかを判定する。錠剤取出し装置１０２により錠剤シートから錠剤が所定数除包されたならばステップＳ７１４に進み、錠剤取出し装置１０２により錠剤シートから錠剤が所定数（図９の処方入力画面を介してユーザから指示された数）除包されていなければ、錠剤取出し装置１０２による錠剤シートからの錠剤取り出し（除包）動作を続ける。
【００７０】
ステップＳ７１４において、錠剤供給装置１０１は、錠剤取出し装置１０２による錠剤シートからの錠剤取り出し（除包）動作を停止する。
【００７１】
ステップＳ７１５において、錠剤供給装置１０１は、錠剤取出し装置１０２による錠剤シートからの錠剤取り出し（除包）動作を停止してから所定時間経過したかを判定する。ここでいう所定時間とは、錠剤シートから最後に取り出された錠剤が、包装装置１０３に落下するまでの時間であり、ユーザが任意に設定することができる。
【００７２】
錠剤取出し装置１０２による錠剤シートからの錠剤取り出し（除包）動作を停止してから所定時間経過したならば、ステップＳ７１６に進み、錠剤取出し装置１０２による錠剤シートからの錠剤取り出し（除包）動作を停止してから所定時間経過していなければ、錠剤取出し装置１０２による錠剤シートからの錠剤取り出し（除包）動作を停止してから所定時間経過するまで待機する。
【００７３】
ステップＳ７１６において、錠剤供給装置１０１は、イオン発生装置で生成するイオンの割合を切り替える。
より具体的には、ステップＳ７０１の処理が始まる前や、ステップＳ７１０と同様に、プラスイオンとマイナスイオンを同じぐらいの割合で生成する。
【００７４】
これにより、ステップＳ７０５やステップＳ７１２においてイオン発生装置で割合を高く生成したマイナスイオンを中和することが可能となるため、錠剤供給装置１０１が停止している間に、ステップＳ７０５やステップＳ７１２においてイオン発生装置で割合を高く生成したマイナスイオンにより埃が錠剤供給装置１０１の内部に吸い寄せられるのを防ぐことができる。
【００７５】
なお、ステップＳ７１０や、ステップＳ７１６で、プラスイオンとマイナスイオンを同じぐらいの割合で生成する理由としては、錠剤取出し装置１０２による錠剤シートからの錠剤取り出し（除包）動作を停止した時点で、ステップＳ７０５やステップＳ７１２においてイオン発生装置で割合を高く生成したマイナスイオンが、錠剤供給装置１０１の内部にどれくらいの量残っているか分からないためである。
【００７６】
もしも、ステップＳ７１０や、ステップＳ７１６において、イオン発生装置でプラスイオンの割合を高く生成した場合、ステップＳ７０５やステップＳ７１２においてイオン発生装置で割合を高く生成したマイナスイオンであって、錠剤取出し装置１０２による錠剤シートからの錠剤取り出し（除包）動作を停止した時点で錠剤供給装置１０１の内部に残っているイオンが、ステップＳ７１０や、ステップＳ７１６において、イオン発生装置で割合を高く生成したプラスイオンにより中和された後に、今度は、錠剤供給装置１０１の内部にプラスイオンが多く残ることになる。
【００７７】
そうすると、錠剤供給装置１０１の内部に残ったプラスイオンに埃が吸い寄せられ、結局、錠剤供給装置１０１の内部に埃が溜まってしまう。
そのため、ステップＳ７１０や、ステップＳ７１６では、プラスイオンとマイナスイオンを同じぐらいの割合で生成する。
【００７８】
なお、もしもプラスイオンとマイナスイオンが錠剤供給装置の内部にどれくらい残っているかを検知可能なセンサを錠剤供給装置１０１の内部に設置するのであれば、センサで検知したプラスイオンとマイナスイオンの量に従って、それぞれのイオンが錠剤供給装置の内部に同じ量残るように、ステップＳ７１０や、ステップＳ７１６においてイオン発生装置で生成するプラスイオンとマイナスイオンの割合を決定することも可能である。
【００７９】
ステップＳ７１７において、錠剤供給装置１０１は、図９の画面を介して、次に各錠剤取出し装置１０２から取り出す錠剤の量（処方データ）の入力が、ユーザから行われているか否かを判定する。次に各錠剤取出し装置１０２から取り出す錠剤の量（処方データ）の入力が、ユーザから行われていれば、ステップＳ７１８に進み、次に各錠剤取出し装置１０２から取り出す錠剤の量（処方データ）の入力が、ユーザから行われていなければ、図７の処理を終了する。
【００８０】
ステップＳ７１８において、錠剤供給装置１０１は、イオン発生装置で生成するイオンの割合を切り替え、ステップＳ７０８に戻る。より具体的には、ステップＳ７０５や、ステップＳ７１２と同様に、マイナスイオンを生成する割合を高くする。
以上で、図７の説明を終了する。
【００８１】
以上、本実施形態によれば、錠剤供給装置内部への埃の付着を軽減する仕組みを提供することができる。
【００８２】
上述した本発明の実施形態を構成する各手段及び各ステップは、コンピュータのＲＡＭやＲＯＭ等に記憶されたプログラムが動作することによって実現できる。装置が読み取り実行可能なこのプログラム及び前記プログラムを記録したコンピュータ読み取り可能な記録媒体は本発明に含まれる。
【００８３】
また、本発明は、例えば、システム、装置、方法、プログラムもしくは記録媒体等としての実施形態も可能であり、具体的には、一又は複数の機器からなる装置に適用してもよい。
【００８４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００８５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００８６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００８７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【００８８】
１０１  錠剤供給装置
１０２  錠剤取出し装置
１０３  包装装置
１０４  情報処理装置
１０５  ネットワーク
１０６  排出部
【図１】
2016049161.tif 000003
【図２】
2016049161.tif 000004
【図３】
2016049161.tif 000005
【図４】
2016049161.tif 000006
【図５】
2016049161.tif 000007
【図６】
2016049161.tif 000008
【図７】
2016049161.tif 000009
【図８】
2016049161.tif 000010
【図９】
2016049161.tif 000011